(57)【要約】【課題】彫刻により骨壷の識別を可能とすると共に、彫刻により装飾を施したり、故人へのメッセージや故人の好きな言葉等を残せるようにした骨壷を提供する。【解決手段】骨壷本体２の外側面に、遺族から故人への直筆のメッセージ３がサンドブラスト加工により彫刻され、メッセージ３のそばに故人の好きだった花４が彫刻された骨壷１を提供する。但し、前記メッセージ３、又は、花４に代えて、文字、文章、符号、記号、マーク、模様、線、図形、絵、写真等のあらゆる彫刻が可能である。その場合、可能なものは直筆であっても良く、又、彫刻の内容によっては、骨壷本体２の外側面に代えて、骨壷本体２に被せる蓋５の外表面に彫刻しても良い。又、前記彫刻は、レーザー加工による彫刻であっても良い。更に、前記骨壷１は、人用骨壷であるが、これに代えてペット用骨壷、分骨用ミニ骨壷又は携帯骨壷であっても良い。【選択図】図１
0003149134.tif 000002
【実用新案登録請求の範囲】
【請求項１】
骨壷本体の外側面及び／又は骨壷本体に被せる蓋の外表面に、文字、文章、符号、記号、マーク、模様、線、図形、絵、写真のうち少なくとも一つが彫刻されていることを特徴とする骨壷。
【請求項２】
前記彫刻は、サンドブラスト加工による彫刻であることを特徴とする請求項１記載の骨壷。
【請求項３】
前記彫刻は、レーザー加工による彫刻であることを特徴とする請求項１記載の骨壷。
【請求項４】
前記文字、文章、符号、記号、マーク、模様、線、図形、絵のうち少なくとも一つは、故人又は遺族或いはその他の人による直筆であることを特徴とする請求項１乃至３のうちいずれか一に記載の骨壷。
【請求項５】
前記文字又は文章は、遺族から故人へのメッセージ、又は、故人の好きだった言葉を含むことを特徴とする請求項１乃至４のうちいずれか一に記載の骨壷。
【請求項６】
請求項１乃至４のうちいずれか一に記載の骨壷は、ペット用骨壷であることを特徴とする骨壷。
【請求項７】
前記文字又は文章は、遺族から亡くなったペットへのメッセージを含むことを特徴とする請求項６記載の骨壷。
【請求項８】
請求項１乃至７のうちいずれか一に記載の骨壷は、分骨を収納するためのミニ骨壷又は分骨を収納し、携帯できる携帯骨壷であることを特徴とする骨壷。
【請求項９】
前記彫刻は、骨の種類、又は、分骨先、或いは、携帯する人を区別するための識別となる彫刻を含むことを特徴とする請求項８記載の骨壷。
【考案の詳細な説明】
【技術分野】
【０００１】
本考案は、彫刻により骨壷の識別を可能とすると共に、彫刻により装飾を施したり、故人へのメッセージや故人の好きな言葉等を残せるようにした骨壷に関する。
【背景技術】
【０００２】
従来の骨壷は、一般に火葬場で骨壷本体内に遺骨が納められると、まもなく蓋をして骨箱に入れられ、骨箱は骨箱カバー内に収納されることが多い。
そして、従来の骨壷は、一般に白い無垢の磁器で形成され、骨壷自体に特別な表示や、装飾等が殆ど施されない場合が多かった。
【考案の開示】
【考案が解決しようとする課題】
【０００３】
前述した表示や、飾り等が殆ど施されない従来の骨壷は、例えば、火葬場等で、骨箱に入れられる前に他の骨箱と区別が付かなくなり、取り違える虞があった。
又、一方で、骨壷自体に、装飾等を施したり、故人へのメッセージ等を残したいという要望もあった。
【０００４】
以上の現状に鑑み、本考案は、彫刻により骨壷の識別を可能とすると共に、彫刻により装飾を施したり、故人へのメッセージや故人の好きな言葉等を残せるようにした骨壷を提供することを目的とする。
【課題を解決するための手段】
【０００５】
上記の課題を解決すべく、本考案は以下の構成を提供する。
請求項１に係る考案は、骨壷本体の外側面及び／又は骨壷本体に被せる蓋の外表面に、文字、文章、符号、記号、マーク、模様、線、図形、絵、写真のうち少なくとも一つが彫刻されていることを特徴とする骨壷を提供するものである。
【０００６】
請求項２に係る考案は、前記彫刻は、サンドブラスト加工による彫刻であることを特徴とする請求項１記載の骨壷を提供するものである。
【０００７】
請求項３に係る考案は、前記彫刻は、レーザー加工による彫刻であることを特徴とする請求項１記載の骨壷を提供するものである。
【０００８】
請求項４に係る考案は、前記文字、文章、符号、記号、マーク、模様、線、図形、絵のうち少なくとも一つは、故人又は遺族或いはその他の人による直筆であることを特徴とする請求項１乃至３のうちいずれか一に記載の骨壷を提供するものである。
【０００９】
請求項５に係る考案は、前記文字又は文章は、遺族から故人へのメッセージ、又は、故人の好きだった言葉を含むことを特徴とする請求項１乃至４のうちいずれか一に記載の骨壷を提供するものである。
【００１０】
請求項６に係る考案は、請求項１乃至４のうちいずれか一に記載の骨壷は、ペット用骨壷であることを特徴とする骨壷を提供するものである。
【００１１】
請求項７に係る考案は、前記文字又は文章は、遺族から亡くなったペットへのメッセージを含むことを特徴とする請求項６記載の骨壷を提供するものである。
【００１２】
請求項８に係る考案は、請求項１乃至７のうちいずれか一に記載の骨壷は、分骨を収納するためのミニ骨壷又は分骨を収納し、携帯できる携帯骨壷であることを特徴とする骨壷を提供するものである。
【００１３】
請求項９に係る考案は、前記彫刻は、骨の種類、又は、分骨先、或いは、携帯する人を区別するための識別となる彫刻を含むことを特徴とする請求項８記載の骨壷を提供するものである。
【考案の効果】
【００１４】
本考案によれば、彫刻により骨壷の識別を可能とすると共に、彫刻により装飾を施したり、故人へのメッセージや故人の好きな言葉等を残せるようにした骨壷を提供することができる。
又、故人又は遺族或いはその他の人による直筆の文字、文章、符号、記号、マーク、模様、線、図形、絵等を骨壷に彫刻として残すことができる。
更に、前述の彫刻と同様の彫刻を施したペット用骨壷、分骨を収納するためのミニ骨壷、分骨を収納し携帯できる携帯骨壷を提供することができる。
更に又、分骨を収納するためのミニ骨壷、分骨を収納し携帯できる携帯骨壷に、骨の種類、又は、分骨先、或いは、携帯する人を区別するための識別となる彫刻を施し、他との混同を防ぎ、取り違えを防止することができる。
【考案を実施するための最良の形態】
【００１５】
以下、実施例を示した図面を参照しつつ本考案の実施の形態を説明する。
図１に於いて、１は、本考案の一実施形態としての骨壷を示し、骨壷１は、骨壷本体２の外側面に、骨壷本体２内に納骨される故人への遺族からの直筆で書かれたメッセージ３を彫刻し、更に、メッセージ３のそばに故人が好きだった花４を彫刻したものである。
【００１６】
本考案に於いて、彫刻するものは、前記メッセージ３や、花４に限定されるものではなく、文字、文章、符号、記号、マーク、模様、線、図形、絵、写真の少なくとも一つを彫刻しても良い。更に、その他の表示の彫刻であっても良い。そして、前記文字、文章、符号、記号、マーク、模様、線、図形、絵のうち少なくとも一つは、故人又は遺族或いはその他の人による直筆であっても良く、又は、活字等、その他のものであっても良い。特に、メッセージ３や、故人の好きだった言葉等は直筆の方が好適である。
又、彫刻する内容は、遺族からのメッセージ３に限定されるものではなく、希望するものは何でも良く、例えば、故人の好きだった言葉や、戒名、法名、洗礼名、故人名、家紋等でも良く、その他、文字、文章、符号、記号、マーク、模様、線、図形、絵、写真等で表現されるあらゆる彫刻が可能である。
即ち、彫刻する内容は、遺族からのメッセージや、故人の好きだった言葉等の他に、装飾効果を高めるものや、故人や、遺族に関連する彫刻であっても良く、それによって同時に骨壷１の識別の効果も得ることができる。又、彫刻する内容として、骨壷１が火葬場等で他の骨壷と取り違えられることがないように識別するためだけの彫刻のみを施しても良く、或いは、他の彫刻と共に識別できる彫刻を別に施しても良い。
【００１７】
更に、彫刻される場所は、骨壷本体２の外側面に限定されるものではなく、後述する如く、骨壷本体２に被せる蓋５の外表面に彫刻しても良く（図４参照）、或いは、それらの双方に彫刻しても良い。場合によっては、蓋５の内表面に彫刻することも可能である。
前記彫刻は、好適には、図２（ａ）に示す如く、例えば、サンドブラストノズル１１からサンドブラスト粒子１２を吹き付けて加工するサンドブラスト加工により行なうが、サンドブラスト加工による彫刻に限定されるものではなく、図２（ｂ）に示す如く、レーザー発振ノズル１３からレーザー光線１４を照射して彫刻を行なうレーザー加工であっても良く、又は、砥石や、やすり、ドリルを使った彫刻でも良く、或いは、骨壷１を製作する際の焼成前に、予め、彫刻を施すことも可能である。
【００１８】
そして、前記骨壷１は、ペット用骨壷であっても良い。ペット用骨壷は、ペットの大きさに合わせてサイズは異なるが、一般的に人用骨壷と相似形状のものを用いることが多い。
ペット用骨壷の場合にも、前述の人用骨壷と同様の彫刻を施すことが可能であり、例えば、遺族から亡くなったペットへのメッセージを彫刻することも可能である。
但し、ペットの場合は、ペットの好きな言葉というものは原則的にないが、それに似た言葉として、人の言葉を区別して理解するペットの場合は、人が声を掛けると喜ぶ言葉や反応する言葉、例えば、ペットの名前、ペットの好きな人の名前、好きなペット仲間の名前、誉め言葉、好きな餌の名前等があり、鳴くペットは、その鳴き声（例えば、楽しそうに鳴く鳴き声）があり、言葉を話すペットはその話す言葉（例えば、楽しそうに話す言葉）があり、それらを文字、文章として彫刻することも可能であり、或いは、好きな食べ物を絵で表現すること等も可能である。
【００１９】
更に、前記骨壷は、分骨を収納するためのミニ骨壷、又は、分骨を収納し、携帯できる携帯骨壷であっても良い。ミニ骨壷や携帯骨壷に於いても前述の如き彫刻を施すことができるが、特に、分骨の場合、数個に分骨する場合があり、その際に、骨の種類や、分骨先、携帯する人によって骨壷を区別する必要がある時、例えば、区別できる文字、文章、符号、記号、マーク、模様、線、図形、絵、写真等のいずれかの彫刻が施されていると、取り違える虞がなく、利便性が高い。尚、前記彫刻は、識別のためだけの彫刻であっても良く、他の彫刻の中に、或いは、他の彫刻と別に識別のための彫刻が施されていても良い。
図３は、図３（ａ）に示す骨壷１とは別に、図３（ｂ）、図３（ｃ）の如く、分骨を収納する複数のミニ骨壷１５，１６がある場合を示し、夫々のミニ骨壷１５，１６に識別のための異なる番号１７，１８が彫刻されている例を示す。
【００２０】
図４は、前述した骨壷本体２に被せる蓋５の外表面に彫刻した例を示し、蓋５の上面に家紋１９を彫刻したものである。
【図面の簡単な説明】
【００２１】
【図１】本考案による骨壷の斜視図である。
【図２】（ａ）本考案による骨壷をサンドブラスト加工により彫刻している状態を説明する説明図。（ｂ）本考案による骨壷をレーザー加工により彫刻している状態を説明する説明図。
【図３】（ａ）本考案による骨壷の斜視図である。（ｂ）本考案による、識別のための番号が彫刻された１つのミニ骨壷の斜視図である。（ｃ）本考案による、識別のための番号が彫刻されたもう１つのミニ骨壷の斜視図である。
【図４】本考案による、蓋の上面に家紋を彫刻した骨壷の斜視図である。
【符号の説明】
【００２２】
１  骨壷
２  骨壷本体
３  メッセージ
５  蓋
１５，１６  ミニ骨壷
【図１】
0003149134.tif 000003
【図２】
0003149134.tif 000004
【図３】
0003149134.tif 000005
【図４】
0003149134.tif 000006